(57)【要約】【課題】インターネットラジオ端末において、配信中の音楽を曲に関する情報を知らなくても容易且つ即時に購入処理できると共に、詳しい曲情報を参照することができる音楽配信システムを提供する。【解決手段】本発明に係る音楽配信システムは、インターネットラジオの視聴を行うインターネットラジオ端末１０１と、インターネットラジオ端末１０１に対して配信用ストリーミングデータの配信を行うインターネットラジオ配信サーバ１１１と、インターネットラジオの配信用ストリーミングデータの作成を行うＰＣ１１２と、配信する音楽の曲情報を提供する音楽情報ガイドサーバ１０４と、配信用ストリーミングデータ中に記述される音楽販売サーバのアドレス情報を保持する音楽販売サイトガイドサーバ１０５と、音楽データ購入要求に対して曲の販売を司る音楽販売サイトサーバ１０６と、ラジオ局のリストを保持するラジオガイドサイトサーバ１０７とから構成される。【選択図】  図１
2005106926.tif 000002
【特許請求の範囲】
【請求項１】
インターネットラジオの配信を行うラジオ配信サーバと、当該ラジオ配信サーバから配信される音楽配信用ストリーミングを受信して再生を行うインターネットラジオ端末と、音楽の販売を司る販売用サーバとがネットワークを介して接続される音楽配信システムにおいて、
前記ラジオ配信サーバは、
前記インターネットラジオ端末に対して音楽データと共に、当該音楽の販売を行う前記販売用サーバのアドレス情報が記録された音楽配信用ストリーミングを配信する配信手段を備え、
前記インターネットラジオ端末は、
前記音楽配信用ストリーミング中の前記音楽データを音声に変換して出力する出力手段と、
出力中の音楽の購入要求をユーザから受け付ける受付手段と、
前記ラジオ配信サーバおよび前記販売用サーバとデータの送受信を行う通信手段とを備え、
前記通信手段は、当該受付手段において前記購入要求を受け付けた場合には、前記アドレス情報に対応する前記販売用サーバに前記音楽の購入要求を行う
ことを特徴とする音楽配信システム。
【請求項２】
前記販売用サーバには、
販売用の音楽を格納する音楽データベースと、
前記音楽の購入要求を受信した場合には、前記購入要求に係る音楽を前記音楽データベースより取得して前記インターネットラジオ端末に送信する音楽送信手段とを備え、
前記インターネットラジオ端末は、さらに、
前記販売用サーバから送信され、前記通信手段において受信する前記音楽を記憶する音楽記憶手段を備える
ことを特徴とする請求項１記載の音楽配信システム。
【請求項３】
前記インターネットラジオ端末は、さらに、
出力中の音楽の視聴要求をユーザから受け付ける試聴要求受付手段と、
前記試聴要求手段において前記試聴要求を受け付けた場合には、前記アドレス情報に対応する前記販売用サーバに前記音楽の視聴要求を行う第二通信手段とを備え、
前記販売用サーバは、さらに、
試聴用の音楽を格納する試聴用音楽データベースと、
前記音楽の試聴要求を受信した場合には、前記試聴要求に係る試聴用音楽を前記試聴用音楽データベースより取得して前記インターネットラジオ端末に頭出しして送信する
ことを特徴とする請求項２記載の音楽配信システム。
【請求項４】
前記ラジオ配信サーバは、前記音楽配信用ストリーミングとして音楽の試聴のための試聴用音楽ストリーミングの送信を行い、
前記インターネットラジオ端末は、さらに、
前記通信手段において前記試聴用音楽ストリーミングを受信すると、前記出力手段における試聴用音楽データの再生回数を検出し、当該検出回数が所定値以上になると前記試聴用音楽ストリーミングを削除する削除手段を備える
ことを特徴とする請求項３記載の音楽配信システム。
【請求項５】
前記インターネットラジオ端末は、さらに、
出発地点から目的地点までの経路を検索する経路探索手段と、
車両の現在位置を取得する位置計測手段と、
狭域で高速に通信を行うための狭域通信手段を備え、
前記通信手段は、前記受付手段において購入要求を受付けると、音楽の購入要求、前記位置計測手段で計測する現在位置情報及び前記経路探索手段で探索された経路情報を含んだ購入要求を前記販売用サーバに送信し、
前記販売用サーバは、さらに、
前記インターネットラジオ端末の前記狭域通信手段と接続可能な基地局の位置情報を格納する基地局データベースと、
前記購入要求に含まれる前記現在位置情報及び前記経路情報に基づいて、前記基地局データベースを参照し、音楽販売に伴う通信処理が可能な基地局を決定する決定手段とを備え、
前記音楽送信手段は、前記決定手段において決定した基地局の位置情報を前記インターネットラジオ端末に送信し、
前記狭域通信手段は、前記基地局と狭域で高速にインターネットとの接続を行い、前記販売用サーバより高速で購入要求する音楽のダウンロードを行う
ことを特徴とする請求項１から請求項４のいずれか１項に記載の音楽配信システム。
【請求項６】
インターネットラジオの配信を行うラジオ配信サーバおよび音楽の販売を司る販売用サーバとネットワークを介して接続され、当該ラジオ配信サーバから配信される音楽配信用ストリーミングを受信して再生を行うインターネットラジオ端末であって、
前記音楽配信用ストリーミングには音楽データと共に、前記販売用サーバのアドレス情報が記録されており、
前記音楽配信用ストリーミング中の前記音楽データを音声に変換して出力する出力手段と、
出力中の音楽の購入要求をユーザから受け付ける受付手段と、
前記ラジオ配信サーバおよび前記販売用サーバとデータの送受信を行う通信手段とを備え、
前記通信手段は、当該受付手段において前記購入要求を受け付けた場合には、前記アドレス情報に対応する前記販売用サーバに前記音楽の購入要求を行う
ことを特徴とするインターネットラジオ端末。
【請求項７】
前記受付手段は、出力中の音楽の購入処理をユーザから受け付けるために専用に設けられるボタン部である
ことを特徴とする請求項６記載のインターネットラジオ端末。
【請求項８】
さらに、前記購入要求として、少なくともヘッダ部には送信先アドレスとして前記販売用サーバのアドレスをセットし、送信元アドレスとしてインターネットラジオ端末自身のアドレスをセットし、データ部に購入対象の音楽の識別番号及び前記ラジオ配信サーバの識別番号が含まれる購入要求パケットを生成するパケット生成手段を備える
ことを特徴とする請求項６記載のインターネットラジオ端末。
【請求項９】
さらに、インターネットラジオの視聴と音楽の購入処理とを同時に行うと、購入する音楽又は視聴中のインターネットラジオに音質劣化が生じるか否かの判定を行う判定手段を備え、
前記受付手段は、前記判定手段において音質劣化が生じないと判断された場合においてのみユーザからの前記音楽の購入要求を受け付ける
ことを特徴とする請求項６記載のインターネットラジオ端末。
【請求項１０】
さらに、出発地点から目的地点までの経路を検索する経路探索手段と、
車両の現在位置を取得する位置計測手段と、
基地局と狭域で高速に通信を行うための狭域通信手段を備え、
前記通信手段は、前記受付手段において購入要求を受付けると、音楽の購入要求、前記位置計測手段で計測する現在位置情報及び前記経路探索手段で探索された経路情報を含んだ購入要求を前記販売用サーバに送信する
ことを特徴とする請求項６から請求項９のいずれか１項に記載のインターネットラジオ端末。
【請求項１１】
前記経路探索手段は、前記基地局の位置情報を、経由地或いは目的地に設定して経路探索を実行し、
前記通信手段は、車両が前記狭域通信手段と基地局間で通信できる程度の距離にまで近づいた場合には、前記狭域通信手段を介して再び前記販売用サーバに対して音楽の購入要求を送信する
ことを特徴とする請求項１０記載のインターネットラジオ端末。
【請求項１２】
前記通信手段は、前記ラジオ配信サーバに対して、前記音楽配信用ストリーミングの配信要求を行う
ことを特徴とする請求項６記載のインターネットラジオ端末。
【請求項１３】
インターネットラジオの配信を行うラジオ配信サーバに対して提供する音楽配信用ストリーミングの作成を行う作成装置であって、
少なくとも音楽データ、前記曲情報及び前記音楽の販売用サーバの前記アドレス情報を含む前記音楽配信用ストリーミングを生成するストリーミング生成手段と、
前記音楽配信用ストリーミングを前記ラジオ配信サーバに送信するストリーミング送信手段とを備える
ことを特徴とする作成装置。
【請求項１４】
前記作成装置とネットワークを介して接続されるアドレス提供用サーバであって、
前記音楽の前記販売用サーバのアドレス情報を記録したアドレス情報データベースと
前記作成装置へ前記販売用サーバのアドレス情報を提供するアドレス情報提供手段とを備える
ことを特徴とするアドレス提供用サーバ。
【請求項１５】
インターネットラジオの配信を行うラジオ配信サーバと、当該ラジオ配信サーバから配信される音楽配信用ストリーミングを受信して再生を行うインターネットラジオ端末と、音楽の販売を司る販売用サーバとがネットワークを介して接続される音楽配信方法であって、
前記ラジオ配信サーバが前記インターネットラジオ端末に対して音楽データと共に、当該音楽の販売を行う前記販売用サーバのアドレス情報が記録された音楽配信用ストリーミングを配信する配信ステップと、
前記インターネットラジオ端末が前記音楽配信用ストリーミング中の前記音楽データを音声に変換して出力する出力ステップと、
出力中の音楽の購入要求をユーザから受け付ける受付ステップと、
当該受付ステップにおいて前記購入要求を受け付けた場合には、前記アドレス情報に対応する前記販売用サーバに前記音楽の購入要求を行う通信ステップとを含む
ことを特徴とする音楽配信方法。
【発明の詳細な説明】
【技術分野】
【０００１】
本発明は、インターネットラジオ端末及びインターネットラジオ配信サーバがネットワークを介して接続された音楽配信システムに関し、特に車載端末においてインターネットラジオの視聴中に好みの音楽を容易に購入可能とするための技術に関する。
【背景技術】
【０００２】
近年のＣＡＴＶ、ＡＤＳＬ、ＦＴＴＨ等の高速、大容量のネットワークインフラの普及に伴い、インターネットのブロードバンド化、常時接続化が進み、ウェブサイトを通じた音楽配信が広く一般社会に普及している。その典型的な一例にインターネットラジオがある。
このインターネットラジオは、パソコンからインターネット上の所定の配信サーバへ接続し、その配信サーバに置いてある音楽、トーク番組、ニュース番組等を、例えば、ＭＰ３やＷＭＡにより圧縮された音声デジタル圧縮ファイルとしてユーザ側のＰＣ等においてダウンロードしながら再生するストリーミングによって提供するものである。このストリーミングに対応したＰＣ用の音声再生ソフトとしては、例えば、ウィンドウズ（登録商標）・メディア・プレーヤーやリアル・プレイヤ等がある。
【０００３】
また、サーバ装置からの配信方法としては、すでに録音した番組等を放送する形態でありファイルに保存された状態で配信サーバへアップされるオンデマンド放送や、エンコードと配信を並列して行い、リアルタイムに配信する形態であるライブ放送があり、配信される音楽データのビットレートは高低様々なものがある。尚、送信される音楽ファイルのビットレートが高くなる程、音質が向上する。
【０００４】
そして、インターネットラジオ局は全世界に無数に存在するため、ユーザにとって所望のラジオ局に直接かつ効率的にアクセスすることは困難である。このため、複数のインターネットラジオ局を検索しやすいように、例えば、ジャズやポップスといった音楽のジャンル毎に分類してリンクするラジオガイドサイトが存在する。上述のウィンドウズ(登録商標）・メディア・プレーヤー等においてもラジオガイドサイトに接続する機能を有している。また、最近ではインターネットラジオの視聴はＰＣだけでは無く、例えば、サン電子株式会社から販売されている「ＢｉＢｉｏ」等のインターネットラジオを再生できる専用端末も登場している。
【０００５】
図１９は、従来のインターネットラジオの音楽配信システムの全体図である。
インターネットラジオの再生を行うインターネットラジオ再生端末１９０１とグローバルアドレスとローカルアドレスの変換を行うブロードバンドルータ１９０２は、例えば、家庭内に設置される。
ブロードバンドルータ１９０２は、例えば、ＡＤＳＬ回線の場合、ＰＰＰｏＥ（Point-to-Point  Protocol over Ethernet（登録商標））の認証用プロトコルに従ってプロバイダサーバ１９０３と接続の交渉を行うことで、認証された後、プロバイダサーバ１９０３からグローバルＩＰアドレスが付与される。このブロードバンドルータ１９０２は、ＮＡＴ機能によりプライベートＩＰアドレスをインターネットラジオ再生端末１９０１へ割当てる機能を有している。
【０００６】
プロバイダサーバ１９０３は、ＩＳＰ（インターネットサービスプロバイダ）によって運用され、インターネット接続サービスを利用したいユーザ端末に対して、ユーザ認証及びグローバルＩＰアドレスの付与を行う。これにより、インターネットラジオ再生端末１９０１から、ラジオガイドサイトサーバ１９０４とインターネットラジオ配信サーバ１９０５への接続が可能となる。
【０００７】
ラジオガイドサイトサーバ１９０４では、インターネットラジオ配信サーバ１９０５を含む複数のインターネットラジオ局１１０のＵＲＬをリストとして保持、管理している。インターネットラジオ再生端末１９０１においては、ラジオ局のガイド機能としてラジオガイドサーバ１９０４に接続してラジオ局のリストを取得して、リンク先のインターネットラジオ局１９０５を特定することができる。尚、図１９では、説明のためにインターネットラジオ配信サーバ１９０５を１つだけ示し、他を省略している。
【０００８】
インターネットラジオ再生装置１９０１は、ルータ１９０２やプロバイダサーバ１９０３を介してインターネットラジオ配信サーバ１９０５に接続して、音楽配信用ストリームをダウンロードする。インターネットラジオ再生端末１９０１においては、このストリームデータを読み込むことにより再生を行うことができる。
そして、近年においてはネットワーク上での音楽配信が盛んに行われている。この音楽配信においてユーザはダウンロードを希望する音楽を特定して、ネットワークを介して専用の音楽配信サーバに接続して、認証処理、購入処理を行い、デジタル音楽データをハードディスク、ＳＤカード等にダウンロードすることにより好みの音楽を購入可能とする。
【０００９】
ところで、近年においては有線、無線を介して配信される音楽情報の様々な利用法が提案されている。例えば、車両運転中において、放送されている音楽の曲名が分からなくても容易に購入可能とする音楽配信システムに関する発明が開示されている（例えば、特許文献１参照）。
この特許文献１に係る音楽配信センターは、周波数帯域から放送局の特定を行う放送局推定部、周波数帯域及び時間帯より放送された音楽の検索を行う音楽検索部、放送された音楽の実体を保持する音楽データベース、制御手段等を備え、音楽の取得を希望するユーザである車載端末から周波数帯域情報、時間情報等の検索情報が音楽配信センターに送信されることにより、音楽配信センターにおいて指定された音楽を検索してユーザ側に購入対象の音楽データを返送することを可能としている。
【特許文献１】特開２００２−２３６４８９号公報
【発明の開示】
【発明が解決しようとする課題】
【００１０】
しかしながら、上記従来のインターネットラジオを再生できるインターネットラジオ再生端末装置においては、インターネットラジオの放送を視聴しながら直接インターネットラジオから出力されている音楽購入や録音に関する処理は行うことができない。この理由としては、従来のインターネットラジオ配信においては、音楽の購入に際して、インターネットラジオを配信するインターネットラジオ配信サーバと音楽の販売を司る販売システム側との間で通信を行うための統一したプラットフォームが無いことが挙げられる。
【００１１】
そして例えば、従来のインターネットラジオを用いてユーザが視聴中に気に入った音楽の購入を行うためには、インターネットラジオの配信サーバにアクセスした後に、ホームページ上のブラウザ画面を介して、まず購入希望する曲の選択を行い、インターネットラジオ局の配信サーバとは別の専用の音楽販売サーバに接続し、クレジットカードの番号等の入力を行い、認証処理が完了した後にダウンロードして購入処理を行う。このように、現状の複数の処理手順を要する音楽購入におけるユーザ処理は、特に安全性を要する車載環境において実現することは困難である。
【００１２】
また、インターネットラジオから出力中の音楽をいきなり購入するのではなく、試聴用に曲の途中からでは無く、頭出しから且つＣＤ並みの高音質で録音して試聴できれば、ユーザの音楽購入における判断を促して、インターネットラジオ端末を介した音楽販売数の増加に寄与できると共に、ユーザは曲情報を参照することで購入処理を行ったユーザはより曲の情報を詳しく知ることができる。
【００１３】
またさらに、インターネットラジオの受信と購入要求を一つの通信手段で同時に行おうとする場合、特に通信状態が不安定となるカーオーディオ等の車載端末においては購入要求の処理で発生する通信の負荷が影響を及ぼし、受信中のインターネットラジオの音質劣化や購入対象の音楽データの音質劣化を招くという課題もある。
そして、近年のネットワークを介した音楽配信においては、ホームページ上のブラウザ画面に表示される情報を用いてユーザが購入対照の音楽情報を選択した後にダウンロードするという処理を伴うため、ユーザ自体がタイトルやアーティスト名等の購入対象の音楽情報を知らないと購入処理を行うことはできない。
【００１４】
本発明は以上の事情に鑑みてなされたものであり、インターネットラジオ端末のユーザは、インターネットラジオの出力中に好みの曲が放送されると、出力中の曲の情報を知らなくても、容易に出力中の音楽の購入処理を行うことができる音楽配信システムを提供することを目的とする。
また、本発明は、ユーザであるインターネット端末、インターネットラジオ配信サーバ、音楽の販売システムサーバ側との間で音楽販売を行うための統一したプラットフォームを作成して管理可能な音楽配信システムを提供することをも目的とする。
【００１５】
さらに、本発明は、ユーザにおけるインターネットラジオからの音楽購入処理において、曲の頭出しからの購入や試聴、また車載環境において配信中のインターネットラジオの音質劣化を招かずに購入対象の音楽をダウンロードできる音楽配信システムを提供すること第３の目的とする。
【課題を解決するための手段】
【００１６】
前記目的を達成するために、本発明に係る音楽配信システムは、［請求項１］、より好ましくは
［請求項２］。
これにより、本発明に係る音楽配信システムのインターネットラジオ端末のユーザは、インターネットラジオ端末から出力中の音楽を、曲情報を知らなくても販売用サーバに接続して、容易に購入処理を行うことができ、インターネットラジオ端末のユーザのネットワークを介した音楽購入時における利便性を向上させることができる。また、本発明に係る音楽配信システムで作成装置で作成される音楽配信用ストリームには、曲情報及び販売用サーバのアドレス情報が付与されるために、これを受信したインターネット端末での音楽の購入処理において、容易に詳細な曲情報を取得できると共に、販売用サーバのアドレスを特定してネットワークを介した音楽購入を行うことができる。
【００１７】
さらに、本発明に係る音楽配信システムは、[請求項３]。
このため、本発明に係るインターネットラジオ端末の視聴中或いは試聴用の購入処理を行う際においても、第二通信手段を介して、販売用サーバから曲の途中からでは無く、頭出しから音楽購入ができ、ユーザの音楽購入時の不安を解消して、利便性を向上できる。
【００１８】
また、本発明に係る音楽配信システムは、[請求項５]。
これにより、本発明に係るインターネット端末は、高速通信が可能な基地局との通信を行う狭域通信手段を備えるために、特に車載環境において有効に上記効果を得ることができる。
【００１９】
尚、本発明は、上述のような音楽配信システムとして実現できるのみではなく、この音楽配信システムを構成するインターネットラジオ端末、アドレス提供用サーバ、音楽配信用ストリーミングの作成を行う作成装置としても実現でき、また、この音楽配信システムが備える手段をステップとする音楽配信方法として実現させることができるのは言うまでもない。さらに、本発明に係るインターネットラジオ端末は、特に車載端末として実現させることが可能である。
【発明の効果】
【００２０】
本発明に係る音楽配信システムによれば、インターネットラジオの音楽配信サーバから配信されるストリームデータには、曲情報と共に音楽の販売先サーバのアドレス情報が付与されるため、インターネットラジオ端末側において、ユーザが購入処理を行ったときには、このアドレス情報を読み出してネットワークを介して直接的に音楽販売先サーバに接続して配信中の音楽の購入処理を行うことが可能となる。このため、複数の購入処理を要さず、特に安全性を必要とする車載環境においては、単一の処理で容易に音楽の購入処理を行うことができるという利点がある。
【００２１】
また、本発明に係るインターネットラジオ端末は、外部ネットワークとの通信状態を把握することにより、高速ダウンロードが可能な基地局からの音楽購入が可能となり、通信環境が不安定になることのある車載環境においても確実に音質劣化を招かずにインターネットラジオの視聴や再生中の音楽の購入処理を行うことができる。
【発明を実施するための最良の形態】
【００２２】
以下、本発明に係るインターネットラジオ端末及びインターネットラジオ配信サーバを用いた音楽配信システムについて、図面を参照しながら説明する。
（実施の形態１）
図１は、本実施の形態１に係る音楽配信システムの全体図を示す。尚、本実施の形態１においては、インターネットラジオを聴いていてユーザが気に入った曲をたとえ曲名が分からなくても容易に購入することのできる音楽配信システムであることを特徴とする。
【００２３】
家庭内ネットワーク１００には、インターネットラジオ端末１０１とルータ１０２とＬＡＮ等のネットワークを用いて接続されている。インターネットラジオ端末１０１はインターネットラジオの視聴を行う宅内のオーディオ等の端末であり、例えば、ＰＣやインターネットラジオ専用端末である。ルータ１０２は、主にローカルとグローバルのアドレスの変更を行う。
【００２４】
インターネットラジオ端末１０１は、ルータ１０２を介してプロバイダサーバ１０３と接続される。このプロバイダサーバ１０３においてグローバルアドレスがルータ１０２に対して付与される。
インターネットラジオ端末１０１は、ネットワークを介してインターネットラジオ局１１０に接続されている。インターネットラジオ局１１０は、インターネットラジオの配信用ストリーミングデータの作成を行うＰＣ１１２、インターネットラジオ端末１０１に対して配信用ストリーミングデータの配信を行うインターネットラジオ配信サーバ１１１から構成されている。
【００２５】
本発明においては、ネットワークを介してＰＣ１１２に対して配信しようとする音楽の曲情報を提供するための音楽情報ガイドサーバ１０４、ＰＣ１１２に対して配信用ストリーミングデータ中に記述される音楽販売サーバのアドレス情報を保持する音楽販売サイトガイドサーバ１０５、インターネットラジオ端末１０１からの曲データ購入要求に対して曲の販売を司る音楽販売サイトサーバ１０６、及びラジオ局のリストを保持するラジオ局リストデータベースを備えるラジオガイドサイトサーバ１０７が接続されている。尚、図１では、図面を簡略化するため音楽販売サイトサーバ１０６を１つだけ示し、他を省略しているが、実際には複数台存在する。また音楽情報ガイドサーバ１０４と音楽販売サイトガイドサーバ１０５は、一つのサーバで実現しても良いし、さらに別の実施態様では、音楽情報ガイドサーバ１０４と音楽販売サイトガイドサーバ１０５とラジオガイドサーバー１０７を一つのサーバで実現しても良い。
【００２６】
図２は、インターネットラジオ局１１０に備えられるインターネットラジオ配信サーバー１１１及びＰＣ１１２の内部構成を示すブロック図である。インターネットラジオで配信される音楽配信用ストリーミングデータは、ＰＣ１１２において作成され、インターネットラジオ配信サーバ１１１においてリアルタイムにストリーミング配信を行うことができるデータ形式で管理される。
【００２７】
インターネットラジオ配信サーバ１１１は、インターネットと接続するための通信部２０１、インターネットラジオ端末１０１に対してインターネットラジオを配信するためのストリーミングデータをＰＣ１１２からアップロードして記憶する配信用ストリーミング記憶部２０２、ＣＰＵ２０３、ＣＰＵ２０３が演算を行うために使用する一時記憶手段であるメモリ２０４を備えている。
【００２８】
ＰＣ１１２は、ＣＰＵ２１０、ＣＰＵ２１０が演算を行うために使用する一時記憶手段であるメモリ２１１、インターネットラジオ配信サーバ１１１と接続するためのインターフェースである通信部２１２、ユーザからの入力を受け付け、例えば、キーボードやマウスで実現される入力部２１３、入力部２１３からの入力を処理して入力信号をＣＰＵ２１０へ通知する入力情報読取部２１４、ユーザからの音楽ＣＤの挿入を受け付けるＣＤ−ＲＯＭドライブ２１５、ＣＤ−ＲＯＭドライブ２１５からの音楽ＣＤ挿入を処理してＣＤ内の音楽データを読取るＣＤ読取部２１６、ＣＰＵ２１０の制御に基づいて様々な映像を表示モニタ２２０に表示させるために描画データへ変換する回路である描画ＬＳＩ２１７、描画ＬＳＩ２１７からの出力に従って画面に配信用ストリームデータ編集の表示を行う表示モニタ２２０、ＯＳや配信用ストリーミングデータをインターネットラジオ配信サーバ１１１へアップロードする前に一時記憶するＨＤＤ２１８、通信部２１２を介してネットワーク上のサーバ装置と接続すると共に、入力情報読取部２１４からの指示に従ってインターネットラジオ配信サーバ１１１に配信する配信用ストリーミングデータの作成を行う配信用ストリーミング作成部２１９を備える。
【００２９】
図３は、本実施の形態１に係る家庭内ネットワーク１００におけるインターネットラジオ端末１０１の機能ブロック図を示す。
通信部３０１は、ブロードバンドルータ１０２と通信を行うためのインターフェースである。
ＤＡＣ３０２は、ＣＰＵ３１１の制御に基づき受信するインターネットラジオの音声ファイルをスピーカ３０３へ出力するためにデジタルからアナログへ変換する回路である。尚、図３においてはＤＡＣ３０２とスピーカ３０３の間に配置されるアンプを省略している。
【００３０】
描画ＬＳＩ３０４は、ＣＰＵ３１１の制御に基づき受信するインターネットラジオ局１１０のリストを表示モニタ３０５に表示させるために描画データへ変換する回路である。
入力部３０６は、ユーザからの入力を受け付け、例えば、リモコンやタッチスイッチで実現される。入力情報読取部３０７は、入力部３０６からの入力を処理して入力信号をＣＰＵ３１１へ通知する。
【００３１】
メモリ３０８は、インターネットラジオのストリーミングを行うために音声ファイルを一時記憶したり、インターネットラジオ端末１０１全体の処理を司るプログラムの実行のために使用される記憶部である。
音楽記憶部３０９は、インターネットラジオ配信サーバ１１１からユーザが気に入って購入した音楽を記憶し、例えばＨＤＤやＤＶＤ、メモリカードで実現される。
課金部３１０は、購入した音楽の支払い処理を行うための手段であり、例えば音楽の購入処理を行う前に画面に課金部３１０において課金される金額の表示を行う。
【００３２】
図４は、本実施の形態１に係る各インターネットラジオ局１１０及びインターネットラジオ端末１０１に対する情報提供を行う各サーバ装置の内部構成を示すブロック図である。
音楽情報ガイドサーバ１０４は、インターネットラジオ局１１０のＰＣ１１２に対して曲情報を提供するサーバであり、インターネットを介してＰＣ１１２と接続してデータの送受信を行う通信部１０４ｂ、音楽配信用ストリームに記述される曲情報である音楽ＣＤの情報、例えば、曲識別ＩＤ、アーティスト名、タイトル名、収録アルバム名、販売価格等を格納するための記憶手段である音楽情報データベース１０４ａを具備する。この音楽情報データベース１０４ａは、例えば、ＣＤＤＢ（Compact Disc Data Base）で実現される。
【００３３】
音楽販売サイトガイドサーバ１０５は、インターネットを介してインターネットラジオ局１１０のＰＣ１１２と接続するための通信部１０５ｂ、音楽を販売する音楽販売サイトサーバ１０６のアドレス情報（例えば、ＵＲＬやＩＰアドレス）を記述した音楽販売サイトデータベース１０５ａを具備する。
音楽販売サイトサーバ１０６は、インターネットを介して家庭内ネットワーク１００のインターネットラジオ端末１０１と接続するための通信部１０６ｃ、ユーザ情報、例えばユーザ名、住所、電話番号、課金方法等を予め格納した記憶手段であるユーザデータベース１０６ｂ、ユーザに配信や販売するための曲データを予め格納した記憶手段である曲データベース１０６ａ、ユーザＩＤやパスワード等を用いて通信相手であるインターネットラジオ端末１０１の認証処理を行う認証部１０６ｄを備える。尚、上述した曲データには、試聴用の曲データも含まれる。
【００３４】
ラジオガイドサイトサーバ１０７は、インターネットラジオ局のリストをインターネットラジオ端末１０１に送信する通信部１０７ｂ、ラジオ局のリストを保持するラジオ局リストデータベース１０７ａを備える。尚、新しく配信を行おうとするラジオ局やＵＲＬが変更になったラジオ局は、ラジオガイドサイトサーバ１０７に対してＵＲＬの登録、更新処理を行うことで、ユーザであるインターネットラジオ端末１０１側では、新しく追加、変更されたラジオ局のＵＲＬのアドレス情報を正確に把握することが可能となる。
【００３５】
図５は、本実施の形態１に係る音楽情報ガイドサーバ１０４の音楽情報データベース１０４ａ及び音楽販売サイトガイドサーバ１０５の音楽販売サイトデータベース１０５ａに保持されるデータテーブルに記録される情報の参考図である。
【００３６】
図５（ａ）は、音楽情報ガイドサーバ１０４の音楽情報データベース１０４ａに記録される曲情報テーブル５００である。この曲情報テーブル５００には、楽曲５０１毎に対応するアーティスト名５０２やアルバム名５０３、その他の曲に関する情報が記録され、このテーブル情報を配信用ストリームの作成を行うＰＣ１１２に提供される。
【００３７】
図５（ｂ）は、音楽配信サイトガイドサーバ１０５の音楽販売サイトデータベース１０５ａに記録される情報を示す。このアドレス情報テーブル５１０には、楽曲５１１及び各楽曲毎に対応する音楽販売サイトサーバアドレス５１２が記録されている。そして、配信用ストリームの作成を行うＰＣ１１２は、このアドレス情報テーブル５１０から音楽販売サイトサーバアドレスに関する情報を取得する。音楽販売サイトサーバ１０６は、例えばレコード会社によって運営される。
【００３８】
以上のように構成された音楽配信システムにおいて、まずＰＣ１１２がインターネットラジオの配信用ストリーミングデータを作成し、インターネットラジオ配信サーバ１１１に対して作成したデータをアップロードするまでの動作について説明する。
【００３９】
図６は、本実施の形態１に係るＰＣ１１２がインターネットラジオ配信サーバ１１１に音楽配信用ストリームをアップロードする場合のシーケンス図である。
最初に、ＰＣ１１２のＣＤ読取部２１６は、音楽ＣＤを挿入されたことを検知するとＣＰＵ２１０に対してＣＤ挿入検知信号を送信する（Ｓ６０１）。ＣＤ挿入検知信号を受信したＣＰＵ２１０は、表示モニタ２２０へＣＤ挿入があったことを通知する（Ｓ６０２）。
次に、入力部２１３を介してユーザからの音楽ＣＤに記憶されているデジタル音声データをＰＣ１１２で処理できるファイル形式に変換するリッピングの指示がＣＰＵ２１０にある場合には（Ｓ６０３）、ＣＰＵ２１０はリッピング要求を行い、音楽ＣＤに記憶されているデジタル音声データが、例えば、ＷＡＶＥ形式でＨＤＤ２１８に記憶される（Ｓ６０４及びＳ６０５）。
【００４０】
そして、リッピングが完了したことを表示モニタ２２０へ通知し（Ｓ６０６）、ユーザによって入力部２１３からインターネットラジオで配信したい曲が選択されるとＣＰＵ２１０に対して通知される（Ｓ６０７）。
また、ＣＰＵ２１０は、通信部２１２を介して音楽情報ガイドサーバ１０４へ接続し、ユーザによって選択された曲の曲情報を取得するための要求を発行する（Ｓ６０８）。音楽情報ガイドサーバ１０４は、音楽情報データベース１０４ａより曲情報を検索して、その応答として、曲情報をＰＣ１１２に返信する（Ｓ６０９）。
【００４１】
通信部２１２を介して曲情報を受信したＰＣ１１２のＣＰＵ２１０は、受信した曲情報をＨＤＤ２１８へ保存する（Ｓ６１０）。次に、ＣＰＵ２１０は通信部２１２を介して音楽販売サイトガイドサーバ１０５へ接続し、販売サイトのアドレス情報の取得するための販売サイト情報取得要求を発行する（Ｓ６１１）。音楽販売サイトガイドサーバ１０５は、音楽販売サイトデータベース１０５ａを参照して、その応答として、販売サイトの情報をＰＣ１１２に返答する（Ｓ６１２）。そして、通信部２１２を介して音楽販売サイトアドレスを取得したＣＰＵ２１０はＨＤＤ２１８へ保存する（Ｓ６１３）。
【００４２】
次に、ＣＰＵ２１０は、ＨＤＤ２１８に保存した音楽データの内、Ｓ６０７で選択された曲を音声圧縮する処理に移る（Ｓ６１４）。音声圧縮方法としては、例えば、ＭＰ３やＷＭＡ、ＡＳＦなどのフォーマットで圧縮される。またこの際、従来のＡＭ／ＦＭ放送並みの音質となるようにビットレートを落としておくこと、例えば、２０ｋｂｐｓや３２ｋｂｐｓが好ましい。同時に、ＨＤＤ２１８に保存しておいた曲情報と販売サイト情報をＳ６１４で圧縮した曲データと結合することで配信用ストリーミングデータを生成し、再びＨＤＤ２１８へ保存する（Ｓ６１５）。尚、この配信用ストリーミングデータ構成については後述の図７において説明する。
【００４３】
最後に、Ｓ６１５で生成した配信用ストリーミングデータをインターネットラジオ配信サーバ１１１へアップロードしてＰＣ１１２側における一連の処理を終了する（Ｓ６１６）。尚、インターネットラジオ配信サーバ１１１では、受信した配信用ストリーミングデータを配信用ストリーミング記憶部２０２にアップロードして記憶する。
【００４４】
以上のようにしてＰＣ１１２においては、インターネットラジオの視聴を行うユーザが気に入った曲をたとえ曲名が分からなくても容易に音楽販売サイトサーバ１０６から購入することのできる情報が付与された配信用ストリーミングデータを生成することができる。
【００４５】
図７（ａ）には、本実施の形態１に係るＰＣ１１２において生成され、インターネットラジオ端末１０１に配信される配信用ストリーミングデータ７００のデータ構成の一例を示す。
ヘッダ部７０１にはアドレス情報が記述され、宛先アドレス７０３には、インターネットラジオ端末１０１のアドレスが記述される。また、送信元アドレス７０４には、インターネットラジオ配信サーバ１１１のアドレスが記述される。
【００４６】
次いでデータ部７０２が続くが、本発明においては、データ部７０２には曲情報７０５、音楽販売サイトサーバアドレス情報７０６、ストリーミングデータ７０７が含まれ、インターネットラジオ端末１０１側において音楽販売サイトサーバアドレス情報７０６を参照することにより音楽販売サイトサーバ１０６より直接音楽取得を可能とすることを特徴とする。また、この配信用ストリーミングのヘッダ部７０１は、インターネットラジオ配信サーバ１１１によって作成され、データ部７０２は、ＰＣ１１２の配信用ストリーミング作成部２１９において作成される。
【００４７】
曲情報７０５は、図６におけるＳ６０８〜Ｓ６１０において説明したように、ＰＣ１１２が通信部２１２を介して音楽情報ガイドサーバ１０４から取得した情報であり、曲を識別するための曲識別ＩＤ７０８、アーティスト名７０９、タイトル名７１０、収録アルバム名７１１、価格７１２を含む。
音楽販売サイトサーバアドレス情報７０６は、図６におけるＳ６１１〜Ｓ６１３で説明したように、音楽販売サイトガイドサーバ１０５から取得する情報であり、ここではインターネットラジオ端末１０１は、ストリーミングデータ中の曲を購入する時には音楽販売サイトサーバアドレス情報７０６に記述されている音楽販売サイトサーバ１０６へ接続することを意味している。
【００４８】
ストリーミングデータ７０７は、図６におけるＳ６１４で説明したように、ＣＤからリッピングした曲を、音声圧縮処理で生成したデータである。尚、データ部７０２は、「曲情報７０５、音楽販売サイトサーバアドレス情報７０６、ストリーミングデータ７０７」としたが、配信する曲が複数になれば、「曲情報７０５、音楽販売サイトサーバアドレス情報７０６、ストリーミングデータ７０７」の組がデータ部７０２に数珠繋ぎで記録されることになる。
【００４９】
次に、本発明に係るインターネットラジオ端末１０１において、インターネットラジオを聞き始めるまでの動作ステップを説明する。
図８は、本実施の形態１に係るインターネットラジオ端末１０１がインターネットラジオをストリーミング再生する場合の動作手順を示すシーケンス図である。
最初に、ブロードバンドルータ１０２とプロバイダサーバ１０３との間でＰＰＰリンクが確立され（Ｓ８０１）、ルータ１０２においてプライベートＩＰアドレスがインターネットラジオ端末１０１へ付与される（Ｓ８０２）。
【００５０】
次に、インターネットラジオ端末１０１は、ラジオガイドサイトサーバ１０７へ接続してラジオ局のリストを要求する（Ｓ８０３）。リスト要求を受信したラジオガイドサイトサーバ１０７は、インターネットラジオ端末１０１にリストを返信する（Ｓ８０４）。リストを受信したインターネットラジオ端末１０１は、ＣＰＵ３１１の制御に基づき、表示モニタ３０５にインターネットラジオ局のリストを表示する（Ｓ８０５）。
【００５１】
次に、ユーザは表示モニタ３０５に表示されているインターネットラジオ局より入力部３０６から配信を希望するラジオ局を選択すると（Ｓ８０６）、ＣＰＵ３１１の制御に基づき、インターネットラジオ端末１０１はユーザによって選択されたラジオ局、この場合はインターネットラジオ配信サーバ１１１に対して音楽データの配信用ストリーミングを要求する（Ｓ８０７）。そして、返答である配信用ストリームを受信したインターネットラジオ配信サーバ１１１は、ストリーミング配信を行う旨の了承を応答する（Ｓ８０８）。これによって、インターネットラジオ配信サーバ１１１からストリーミングが配信され（Ｓ８０９）、それを受信するインターネットラジオ端末１０１は、配信用ストリームのデジタルストリミングデータを読み込むことにより、スピーカ３０３から音声を再生することができる。
【００５２】
次に、インターネットラジオ端末１０１が音楽の購入処理を行う場合の動作手順について図９を参照して説明を行う。尚、本発明においては、インターネットラジオ端末１０１のユーザがインターネットラジオの再生中に、その曲に関する詳細な情報が分からなくても即時に購入できることを特徴とする。
ストリーミングが再生されている時（Ｓ８０９）に、ユーザが入力部３０６から曲を購入したい旨の入力を行うと、購入要求がＣＰＵ３１１へ送信される（Ｓ９０１）。購入要求を受信したＣＰＵ３１１は、現在配信を受けているストリーミングデータを読み出して、音楽販売サイトサーバアドレス情報７０６に基づき、音楽販売サイトサーバ１０６に対してストリーミング転送で使用しているコネクションとは別のコネクションの確立を要求するための接続要求を送信する（Ｓ９０２）。そして、その「接続応答ＯＫ」を受信すると（Ｓ９０３）、次に現在再生中の曲データ購入要求を行う（Ｓ９０４）。
【００５３】
その後、音楽販売サイトサーバ１０６から送信されてくる曲データを受信し（Ｓ９０５）、音楽記憶部３０９に受信した曲データを保存する（Ｓ９０６）。尚、この曲データの受信は通信状態によって購入対象の音楽やインターネットラジオの音質劣化を招くと判断されるような場合においては、即時に行う必要はなく、通信状態が安定した状態において行うこととなる。
【００５４】
また、正常に曲データの保存が行われると、次いで課金処理へ移る。ＣＰＵ３１１は、課金部３１０から課金するための情報、例えばクレジットカード番号等を取得し（Ｓ９０７）、音楽販売サイトサーバ１０６にその情報を転送する（Ｓ９０８）。この情報転送はＳＳＬ等の暗号化がなされていることが望ましい。音楽販売サイトサーバ１０６では、インターネットラジオ端末１０１より受信した課金情報より、課金処理を行い、その応答を返す（Ｓ９０９）。応答を受信したインターネットラジオ端末１０１は、受信した応答に基づいて課金処理が正常に行われたか否か、及び正常に課金が行われた場合にはその料金を表示モニタ３０５へ表示する（Ｓ９１０）。
これによって、インターネットラジオ端末１０１のユーザは、インターネットラジオを聞いていて気に入った曲を、たとえ曲名が分からなくても容易に購入できる。
【００５５】
尚、Ｓ９０２からＳ９１０までの処理は即時に行う必要はなく、例えば、ネットワークの通信帯域に余裕が出たときに行っても良い。また、本実施の形態１の説明においては、曲情報のダウンロードが正常に終了しない場合を考慮して課金処理（Ｓ９０７）を音楽販売サイトサーバ１０６からの曲データ転送（Ｓ９０５）の後に行うようにしたが、曲データ転送の前に課金処理を行い、認証された後に曲情報を音楽販売サイトサーバ１０６からダウンロードできるようにしても良い。
【００５６】
またここで、本実施の形態１に係るインターネットラジオ端末１０１から音楽販売サイトサーバ１０６への送信される音楽の購入要求パケット７２０のデータ構造の一例を図７（ｂ）に示す。
この購入要求パケット７２０は、アドレス等の情報が付与されるヘッダ部７２１とデータ部７２２から構成され、宛先アドレス７２３は音楽販売サイトサーバ１０６のアドレス、送信元アドレス７２４にはインターネットラジオ端末１０１のアドレスが記述される。データ部７２２にはユーザを識別するためのユーザＩＤ７２５、ユーザが購入したい曲を識別するための曲識別ＩＤ７２６、インターネットラジオ端末１０１のユーザがどこのインターネットラジオ局１１０を聞いていて接続したかを識別するためのインターネットラジオ局識別ＩＤ７２７が記述される。インターネットラジオ局識別ＩＤ７２７は必ずしも必要とは限らないが、後述する金銭の流れを実現するためには必要な項目である。
【００５７】
図１０は、音楽販売サイトサーバ１０６における音楽データ配信における認証手順を示すフローチャートである。
まず、音楽販売サイトサーバ１０６は、認証部１０６ｄにおいて通信相手であるインターネットラジオ端末１０１の認証処理を行う（Ｓ１００１）。この認証処理はパスワードやユーザＩＤを用いて行う。
【００５８】
認証処理が正当である場合においては（Ｓ１００１でＹ）、曲識別ＩＤを用いてインターネット端末１０１のユーザが購入対象とする音楽データを曲データベース１０６ａから取得する（Ｓ１００２）。尚、認証処理が正当でない場合においては（Ｓ１００１でＮ）、再度インターネット端末１０１からの購入要求パケットの受信処理を行う。
【００５９】
次に、通信部１０６ｃを介して購入希望の音楽データを、インターネット端末１０１側に送信して処理を終了する（Ｓ１００３）。この音楽販売サイトサーバ１０６から配信される音楽データは例えば１２８Ｋｂｐｓ、あるいはそれ以上のビットレートであり、ＣＤ並みの高音質を実現することができる。
【００６０】
図１１は本実施の形態１に係るインターネットラジオ端末１０１において、購入処理をいつ行うかのタイミングを示す動作フローチャートである。
最初に、通信部３０１は、即時に購入処理を行うとインターネットラジオの音質劣化を招くか否かを判断する（Ｓ１１０１）。この判断は、例えば、受信中のストリーミングのビットレートと通信帯域を比較することで判断できる。尚、音質劣化とは、他の処理と共に行うことにより、インターネットラジオのパケットデータ到着遅れが生じることを意味する。
【００６１】
音質劣化を招かないと判断する場合には（Ｓ１１０１でＮ）、即時に購入処理を行う（Ｓ１１０２）。音質劣化を招くと判断する場合には（Ｓ１１０１でＹ）、インターネットラジオの聴取をユーザが終了したか否かをモニタリングし、終了していない場合にはＳ１１０３の処理を繰り返す（Ｓ１１０３でＮ）。また、ユーザが視聴を終了した場合には（Ｓ１１０３でＹ）、インターネットラジオ端末１０１は、音楽配信サイトサーバ１０６に接続して、音楽の購入処理を行う（Ｓ１１０４）。
【００６２】
従って、インターネットラジオ端末１０１のユーザは、通信帯域が低い状況下においてインターネットラジオを聴きながら曲の購入処理をも行う場合に、音質を劣化させず安心して好みの音楽の購入処理を行うことができる。
【００６３】
次に、インターネットラジオ端末１０１のユーザがインターネットラジオを聞いていて気に入った曲を試聴する際に、曲の途中からでは無く、頭出しして録音する場合の動作手順を説明する。通常、インターネットラジオ配信サーバ１１１からのストリーミングを録音する場合にユーザが録音（ダウンロード）したいと思ったときにはすでに曲の途中となってしまっている。これに対し、インターネットラジオ配信サーバ１１１からのストリーミングを録音するのではなく、音楽販売サイトサーバ１０６から試聴用のデータを送信してもらうことを特徴とする。
【００６４】
図１２は、ユーザが試聴する際に、録音する際のインターネットラジオ端末１０１と音楽販売サイトサーバ１０６との間の通信シーケンスを示す図である。
インターネットラジオ端末１０１において、音楽配信ストリーミングが転送されている時（Ｓ８０９）に、ユーザが入力部３０６から曲を試聴したい旨の入力を行うと、試聴要求がＣＰＵ３１１へ送信される（Ｓ１２０１）。
【００６５】
試聴要求を受信したＣＰＵ３１１は、現在配信を受けているストリーミングデータ中の音楽販売サイトサーバ１０６へのＵＲＬ等のアドレスに基づき、音楽販売サイトサーバ１０６に対してストリーミング転送で使用しているコネクションとは別のコネクションの確立を要求するための接続要求を送信する（Ｓ１２０２）。
そして、返答として「接続応答ＯＫ」を受信すると（Ｓ１２０３）、次に現在再生中の曲データの試聴を要求する（Ｓ１２０４）。その後、音楽販売サイトサーバ１０６から送信されてくる曲データを受信して（Ｓ１２０５）、音楽記憶部３０９へ受信した曲データを保存する（Ｓ１２０６）。試聴用の曲データは購入した場合の曲データよりもビットレートが低く音質がそれ程良くないデータである。尚、図１２においてインターネットラジオ端末１０１側において取得した試聴用の音楽データは所定の回数だけ再生されれば、自動的に消去するように管理しても良い。
【００６６】
従って、インターネット端末１０１のユーザは、試聴用の曲データを取得する際においては、音楽配信サイトサーバ１０６との間にインターネットラジオ配信サーバ１１１とは別のコネクションを確立して、試聴用に曲の途中からでは無く、頭出しから購入対象となる音楽を録音できるので、ユーザにおける音楽購入の判断を促して音楽販売数の増加に寄与することができる。
【００６７】
次に、図１３を用いて本発明の音楽配信システムにおける金銭の流れを示す。
図１３は、曲を購入するユーザ側であるインターネットラジオ端末１０１、音楽販売サイト、インターネットラジオ局１１０及び著作権者の間における金銭の流れを示す模式図である。
まず、インターネットラジオ端末１０１と音楽販売サイトとの間には、インターネットラジオ端末１０１側から音楽販売サイト側へ曲を購入する対価として「購入代金を支払う（１３０１）」という関係がある。
【００６８】
また、インターネットラジオ局１１０と音楽販売サイトとの間には、インターネットラジオ局１１０側から音楽販売サイト側に対して曲を放送することの対価として「放送料を支払う（１３０２）」という関係がある。さらに、音楽販売サイト側からインターネットラジオ局１１０側に対しては、インターネットラジオ端末１０１のユーザが新しく曲を購入する機会を提供する見返りとして「紹介料を支払う（１３０３）」という関係がある。またさらに、音楽販売サイトと著作権者との間には、音楽販売サイト側から著作権者に対して「著作権料を支払う（１３０４）」という関係がある。
【００６９】
従って、図１３に示すように、インターネットラジオ局１１０が自ら配信する音楽情報をユーザが気に入って購入した場合には紹介料が入ることになるので、これを運営資金の足しにすることができると共に、個人でも著作権がある音楽コンテンツを含むインターネットラジオ局１１０の開局が手軽に行えるようになる。一方、音楽を販売する側や著作権者側の立場では、新しくインターネットラジオ局１１０が開局する程、それだけビジネスの機会を多く得ることができるので、インターネットラジオ端末１０１のユーザ、インターネットラジオ局１１０、音楽販売サイト、著作権者全てが相互において本発明に係る音楽配信システムのメリットを享受することができる。
【００７０】
以上の説明のように、本実施の形態１に係る音楽配信システムにおいては、ＰＣ１１２の配信用ストリーム作成部２１９で作成され、インターネットラジオ配信サーバ１１１からインターネットラジオ端末１０１に配信される音楽配信用ストリームデータ７００には、音楽情報ガイドサイトサーバ１０４から取得する曲情報７０５と、音楽販売サイトガイドサーバ１０５から取得する音楽販売サイトサーバアドレス情報７０６とが含まれる。
【００７１】
従って、この配信用ストリームデータ７００を受信してインターネットラジオ再生を行うインターネットラジオ端末１０１において、ユーザがたとえ曲に関する情報を知らなくても、流れている音楽の曲情報を容易に知ることができると共に、配信中の気に入った曲の購入処理を音楽販売サイトサーバ１０６のアドレス情報に従って、例えば購入専用のボタンを押す単一の処理で容易に行うことができ、インターネットラジオの再生を行うユーザの音楽購入時における利便性を向上させて、より身近に音楽購入処理を行うことが可能となる。
【００７２】
また、本発明に係る音楽配信システムを、インターネットラジオ端末１０１とインターネットラジオ配信サーバ１１１と音楽の販売を司る販売システム側との間で通信を行うための統一したプラットフォームとすることができる。
さらに、本発明に係るインターネットラジオ端末１０１は、インターネットラジオの配信中に音楽販売サイトサーバ１０６に対して購入処理或いは試聴用のダウンロードを行う場合においても、インターネット配信サーバ１１１と接続しているコネクションとは別のコネクションを音楽販売サイトサーバ１０６との間で確立して、曲の途中からでは無く、頭出しから曲データを録音、試聴でき、曲の購入を行うユーザは安心して音楽の購入、購入における判断が行え、インターネットラジオを用いた音楽販売数の増加に寄与できる。
【００７３】
また、本実施の形態１に係るインターネットラジオ端末１０１においては、配信中に即時に購入処理を行うと音質劣化を招くか否かの判定を行う通信部３０１を備えるため、通信帯域が低い状況下でインターネットラジオを聴きながら購入処理を行う場合においては、インターネットラジオの視聴を終了した後において通信帯域が安定している領域において購入処理を行うため、視聴しているインターネットラジオの音質を劣化させず、また購入する音楽の音質を劣化させずに済む。
【００７４】
さらに、本発明に係る音楽配信システムにおいては、インターネットラジオ端末１０１のユーザ、インターネットラジオ局１１０、音楽販売サイト、及び著作権者の相互において著作権の管理が行われるために、悪意のある第三者に不正に音楽データがコピーされることを防止して、著作権の保護を図った音楽配信システムとすることできる。
尚、本実施の形態１の説明においては、インターネットラジオ端末１０１は家庭内に設置される場合だけに限らず、車などの移動体に設置され、外部ネットワークと接続できる環境においては同様に実施することができるのは言うまでもない。
【００７５】
（実施の形態２）
以下、本発明の第２の実施の形態における音楽配信システム及び車載端末について、図面を参照しながら説明する。尚、本実施の形態２に係る車載端末は、車載環境においてインターネットラジオで配信中の曲を、曲の情報を知らなくても容易に購入処理を行うことができることを特徴とする。
【００７６】
図１４は、本実施の形態２に係る音楽配信システムの概略全体図である。尚、本実施の形態２においては、上述した実施の形態１と同様の構成については同様の符号を付し、詳細な説明を省略する。
図１４において、プロバイダサーバ１０３には音楽等のインターネットラジオの受信を行う携帯電話１４０３を介して車載端末１４０２が接続され、車内１４０１においてインターネットラジオ配信サーバ１１１からのインターネットラジオの視聴及び購入処理を行うことができる。この車載端末１４０２は、例えばカーナビゲーション装置、カーオーディオ等である。
【００７７】
図１５は、車載端末１４０２の内部の構成を示すブロック図である。本実施の形態２に係る車載端末１４０２は、上述した実施の形態１のインターネットラジオ端末１０１の構成に加えて、経路探索部１５０１、位置計測部１５０２、近距離無線通信部１５０３を備える。
経路探索部１５０１は、車両が移動するに際して、出発地から目的地までの経路を探索し、プログラムで実現される。位置計測部１５０２は、例えば、現在位置を得るためのＧＰＳ受信機や車速センサ、ジャイロ等である。近距離無線通信部１５０３は、例えば、無線ＬＡＮやＤＳＲＣ等の通信方式で携帯電話１４０３よりも高速にインターネットへの接続を行うことができる。
【００７８】
図１６は、音楽販売サイトサーバ１０６の内部の構成を示すブロック図である。本実施の形態２においては、上述した実施の形態１の音楽販売サイトサーバ１０６の構成に加えて、基地局データベース１６０１を備えることを特徴とする。
この基地局データベース１６０１は、車載端末１４０２が近距離無線通信部１５０３を使って通信を行うことができる基地局の位置を格納したデータベースとなる。車載端末１４０２は基地局から近距離無線通信部１５０３を介して購入対象となる音楽を高速に高音質でダウンロードして録音することができる。尚、基地局には高速道路上やサービスエリア、ガソリンスタンド等に設けられるホットスポットが挙げられる。基地局も同様に無線ＬＡＮやＤＳＲＣ等の通信方式で通信を行う。
【００７９】
以上のように構成された本実施の形態２に係る音楽配信システムにおける動作手順を説明する。
図１７は、本実施の形態２に係る車載端末１４０２及び音楽販売サイトサーバ１０６との間の通信シーケンス図である。図１７においては、車載端末１４０２が受信中のインターネットラジオの音質劣化を招かないように、即時に音楽データの購入処理は行わず、通信帯域の安定した購入処理をすべき場所を音楽販売サイトサーバ１０６から通知してもらうことを特徴とする。
【００８０】
最初に、車載端末１４０２において音楽ストリーミングが再生されている時に（Ｓ８０９）、ユーザが入力部３０６から曲を購入したい旨の入力処理を行うと、購入要求がＣＰＵ３１１へ送信される（Ｓ１７０１）。購入要求を受信したＣＰＵ３１１は、位置計測部１６０１を参照して現在地を取得する（Ｓ１７０２）と共に、経路探索部１６０２を参照し現在の経路情報を取得する（Ｓ１７０３）。
【００８１】
次いで、現在配信を受けているストリーミングデータ中の音楽販売サイトサーバ１０６へのアドレスに基づき、音楽販売サイトサーバ１０６に対してストリーミング転送で使用しているコネクションとは別のコネクションの確立を要求するための接続要求を送信する（Ｓ１７０４）。そして、「接続応答ＯＫ」を受信すると（Ｓ１７０５）、現在再生中の曲データの購入を要求する（Ｓ１７０６）。このときＳ１７０６においては、Ｓ１７０２及びＳ１７０３で取得した現在地情報と経路情報も同時に送信する。
【００８２】
また、購入要求を受信した音楽販売サイトサーバ１０６では車載端末１４０２の経路上の位置を確認し、さらに、基地局データベース１６０１を参照することで、音楽購入に伴う通信処理が行える場所を決定して車載端末１４０２へ通知する（Ｓ１７０７）。それを受信したＣＰＵ３１１は、経路探索部１０６に対して改めてＳ１７０７で通知された場所に経路を設定するよう制御（リルート）する（Ｓ１７０８）。
【００８３】
次に、車載端末１４０２が音楽販売サイトサーバ１０６より通知された場所に近づき音楽の購入処理を行う場合の動作手順について説明する。
図１８は、車載端末１４０２が音質劣化を招かないように音楽を購入する手順を示すフローチャートである。最初に、車載端末１４０２を備える移動体が通知された購入場所へ近づきつつあるか否かを判定する（Ｓ１８０１）。まだ近づいていない場合には（Ｓ１８０１でＮ）、再度購入場所の確認処理を行う。
【００８４】
一方、購入場所が通知された場所に近づきつつあると判断する場合には（Ｓ１８０１でＹ）、次に車載端末１４０２の近距離無線通信部１５０３が使用可能となったか否かの判定を行う（Ｓ１８０２）。そして、近距離無線通信部１５０３が使用可能になっていない場合には（Ｓ１８０２でＮ）、再度、近距離無線通信部１５０３が使用可能となったか否かの判定を行う。
【００８５】
また、近距離無線通信部１５０３が使用可能になっている場合においては（Ｓ１８０２でＹ）、車載端末１４０２の近距離無線通信部１５０３が音楽販売サイトサーバ１０６に接続して購入希望する音楽の購入処理を行う（Ｓ１８０３）。
以上の説明のように、本実施の形態２に係る車載端末１４０２は、経路の探索を行う経路探索部１５０１、現在位置の検索を行う位置計測部１５０２、高速にインターネットへの接続を行う近距離無線通信部１５０３を備える。また、音楽配信を行う音楽販売サイトサーバ１０６においては、音楽配信を行う基地局の情報を保持する基地局データベース１６０１、位置情報に基づいて当該基地局データベース１６０１から最寄りの基地局の検索を行い検索結果を車載端末１４０２に送信する。
【００８６】
従って、本実施の形態２に係る車載端末１４０２は、音楽の購入処理の際には、即時に行うのでは無く、音楽販売サイトサーバ１０６から通知される高速通信ができる指定の場所で行うことになるので、通信状態の安定しない車載環境において、受信中のインターネットラジオのストリーミングの音質劣化を招くのを確実に防止しながら購入希望する音楽データのダウンロードを行うことができ、ユーザが音楽データの購入処理における利便性、安全性を向上できる。
【００８７】
尚、以上説明した各実施の形態のインターネットラジオ配信サーバ１１１からストリーミング配信されるコンテンツについては、音楽データだけに限らず、同様にストリーミング配信可能な動画データ（インターネットテレビ）であっても同様に実施することができる。
【産業上の利用可能性】
【００８８】
本発明に係る音楽配信システムは、インターネットラジオを配信するインターネットラジオ配信局、音楽配信用ストリームデータの編集を行うＰＣ、インターネットラジオ端末間の通信に適用でき、特に車載環境であるインターネットラジオの受信可能なカーナビゲーション装置、カーオーディオ等に適用できる。
【図面の簡単な説明】
【００８９】
【図１】実施の形態１に係る音楽配信システムの全体図を示す。
【図２】インターネットラジオ局に備えられるインターネットラジオ端末及びＰＣの内部構成を示すブロック図である。
【図３】実施の形態１に係る家庭内ネットワークにおけるインターネットラジオ端末の機能ブロック図を示す。
【図４】実施の形態１に係る各インターネットラジオ局及びインターネットラジオ端末に対する情報提供を行うサーバ装置の内部構成を示すブロック図である。
【図５】実施の形態１に係る音楽情報データベース及び音楽販売サイトデータベースに保持されるデータテーブルに記録される情報の参考図である。
【図６】実施の形態１に係るＰＣがインターネットラジオ配信サーバに音楽配信用ストリームをアップロードする場合のシーケンス図である。
【図７】実施の形態１に係る配信用ストリーミングデータ及び購入要求パケットのデータ構成の一例を示す。
【図８】実施の形態１に係るインターネットラジオ端末がインターネットラジオをストリーミング再生する場合の動作手順を示すシーケンス図である。
【図９】インターネットラジオ端末が音楽販売サイトサーバから音楽の購入処理を行い際の動作手順を示すシーケンス図である。
【図１０】音楽販売サイトサーバにおける音楽データ配信における認証手順を示すフローチャートである。
【図１１】実施の形態１に係るインターネットラジオ端末において、購入処理をいつ行うかのタイミングを示す動作フローチャートである。
【図１２】ユーザが試聴する際に、インターネットラジオ端末と音楽販売サイトサーバとの間の通信シーケンスを示す図である。
【図１３】曲を購入するユーザ側であるインターネットラジオ端末、音楽販売サイト、インターネットラジオ局及び著作権者の間における金銭の流れを示す模式図である。
【図１４】実施の形態２に係る音楽配信システムの概略全体図である。
【図１５】実施の形態２に係る車載端末の内部の構成を示すブロック図である。
【図１６】音楽販売サイトサーバの内部の構成を示すブロック図である。
【図１７】実施の形態２に係る車載端末及び音楽販売サイトサーバとの間の通信シーケンス図である。
【図１８】実施の形態２に係る車載端末が音質劣化を招かないように音楽を購入する手順を示すフローチャートである。
【図１９】従来のインターネットラジオの音楽配信システムの全体図である。
【符号の説明】
【００９０】
１００  家庭内ネットワーク
１０１  インターネットラジオ端末
１０２  ルータ
１０３  プロバイダサーバ
１０４  音楽情報ガイドサイトサーバ
１０４ａ  音楽情報データベース
１０５  音楽販売サイトガイドサーバ
１０５ａ  音楽販売サイトデータベース
１０６  音楽販売サイトサーバ
１０６ａ  曲データベース
１０６ｂ  ユーザデータベース
１０７  ラジオガイドサイトサーバ
１１０  インターネットラジオ局
１１１  インターネットラジオ配信サーバ
１１２  ＰＣ
２０２  配信用ストリーミング記憶部
２１９  配信用ストリーミング作成部
３０１  通信部
３０９  音楽記憶部
７００  配信用ストリームデータ
７２０  購入要求パケット
１４０２  車載端末
１４０３  携帯電話
１５０１  経路探索部
１５０２  位置計測部
１５０３  近距離無線通信部
１６０１  基地局データベース
【図１】
2005106926.tif 000003
【図２】
2005106926.tif 000004
【図３】
2005106926.tif 000005
【図４】
2005106926.tif 000006
【図５】
2005106926.tif 000007
【図６】
2005106926.tif 000008
【図７】
2005106926.tif 000009
【図８】
2005106926.tif 000010
【図９】
2005106926.tif 000011
【図１０】
2005106926.tif 000012
【図１１】
2005106926.tif 000013
【図１２】
2005106926.tif 000014
【図１３】
2005106926.tif 000015
【図１４】
2005106926.tif 000016
【図１５】
2005106926.tif 000017
【図１６】
2005106926.tif 000018
【図１７】
2005106926.tif 000019
【図１８】
2005106926.tif 000020
【図１９】
2005106926.tif 000021